(57)【要約】【課題】  布巾などを絞るときに、手っ取り早く且つしっかりと確実に絞ることができる絞り補助具を提供することを目的とする。【解決手段】  布巾などの布製品を巻き付けるための複数の回転部材２１−２４を有し、各回転部材２１−２４は、長さ方向に並べられ、長さ方向に延びる回転軸線を中心にそれぞれ独立して回転可能であり、好ましくは、軸部材３を有し、回転部材２１−２４は、軸部材３の長手方向に並ぶように軸部材３に取り付けられ、軸部材３の回りで回転可能である。【選択図】  図３
2014159898.tif 000002
【特許請求の範囲】
【請求項１】
布巾などの布製品を巻き付けるための複数の回転部材を有し、該回転部材は、長さ方向に並べられ、長さ方向に延びる回転軸線を中心にそれぞれ独立して回転可能であることを特徴とする布巾などの布製品を絞るための絞り補助具。
【請求項２】
回転部材の内部に空洞部を有する請求項１記載の絞り補助具。
【請求項３】
少なくとも一つの回転部材は、その表面から空洞部に通じる少なくとも一つの孔が形成されている請求項２記載の絞り補助具。
【請求項４】
回転部材は、円筒形に形成されている請求項１乃至請求項３のいずれか一項記載の絞り補助具。
【請求項５】
回転部材は、その外径が、回転部材の両端部で最大で、中央部に行くに従って徐々に小さくなる請求項４記載の絞り補助具。
【請求項６】
同じ長さの回転部材が、４以上の偶数個取り付けられている請求項１乃至請求項５のいずれか一項記載の絞り補助具。
【請求項７】
軸部材を有し、回転部材は、前記軸部材の長手方向に並ぶように軸部材に取り付けられ、軸部材の回りで回転可能である請求項２乃至請求項６のいずれか一項記載の絞り補助具。
【発明の詳細な説明】
【技術分野】
【０００１】
本発明は、布巾などを絞るときに用いる絞り補助具に関する。
【背景技術】
【０００２】
従来のタオル等の絞り具は、タオルを二つ折りにして両端を揃え、その両端を絞り具に固定し、二つ折り部分にフックを掛けて、ハンドルでフックを回転させることによりタオルを絞る構成である。このような絞り具は、二つ折りにしたタオルの両端を固定する作業が面倒であり、その都度、タオルの両端を固定し、作業終了後に両端を絞り具から外さなければならない。また、ハンドルを回転させて絞ると、絞り具が不安定であるから、それを手でしっかり固定しなければならない。したがって、従来の絞り具を用いてタオルを絞る作業は、非常に手間のかかる作業となってしまうのである。
【先行技術文献】
【特許文献】
【０００３】
【特許文献１】特開２０００−２８３６４８
【発明の概要】
【発明が解決しようとする課題】
【０００４】
本発明は、布巾などを絞るときに、手っ取り早く且つしっかりと確実に絞ることができる絞り補助具を提供することを目的とする。
【課題を解決するための手段】
【０００５】
請求項１に記載の発明は、布巾などの布製品を巻き付けるための複数の回転部材を有し、該回転部材は、長さ方向に並べられ、長さ方向に延びる回転軸線を中心にそれぞれ独立して回転可能である構成である。
【０００６】
請求項２に記載の発明は、回転部材の内部に空洞部を有する構成である。
【０００７】
請求項３に記載の発明は、少なくとも一つの回転部材が、その表面から空洞部に通じる少なくとも一つの孔が形成されている構成である。
【０００８】
請求項４に記載の発明は、回転部材が、円筒形に形成されている構成である。
【０００９】
請求項５に記載の発明は、その外径が、回転部材の両端部で最大で、中央部に行くに従って徐々に小さくなる構成である。
【００１０】
請求項６に記載の発明は、同じ長さの回転部材が、４以上の偶数個取り付けられている構成である。
【００１１】
請求項７に記載の発明は、軸部材を有し、回転部材が、前記軸部材の長手方向に並ぶように軸部材に取り付けられ、軸部材の回りで回転可能である構成である。
【発明の効果】
【００１２】
請求項１に記載の発明は、布巾などの布製品を巻き付けるための複数の回転部材を有し、該回転部材は、長さ方向に並べられ、長さ方向に延びる回転軸線を中心にそれぞれ独立して回転可能である。布巾を絞るときは、まず、巻き寿司に巻いた海苔のように布巾を絞り補助具の長さ方向に沿って巻き、その巻き付けた布巾の両端付近の部分をそれぞれ左右の手でしっかり握る。次いで、布巾を絞るようにねじると、左右の手は布巾の両端をそれぞれ反対の方向に回転させるので、布巾のねじれに伴って、布巾の内側にある回転部材も反対方向に回転して、布巾を絞ることができる。布巾は薄い布地で形成されているので、絞るときに細くなって、手で握っている布巾が手の中で回転して十分に絞ることができない虞もある。本発明は、布巾が所定の太さを有する回転部材に巻かれているので、手で握って布巾をねじったときに、一定の太さを保持できて細くなり過ぎることがなく、布巾が手の中で回転することなく十分に絞ることができる。布巾を絞るときには、布巾を回転部材に巻き付けるだけでよいので、手間がかからず簡単である。また、絞った布巾を回転部材から外すときも、布巾は回転部材に固定手段を使って結合されているものでないので、手間がかからず簡単に外すことができる。
【００１３】
請求項２に記載の発明は、回転部材の内部に空洞部を有する構成である。空洞部を有する回転部材同士を連結するときに、連結部に隙間が生じるので、ここで言う空洞部とは、ピンポン玉の中の空洞部のような、完全に密閉された空洞部ではなく、外気と通じている空洞部が好ましい。回転部材を合成樹脂で射出成形する場合に、回転部材が中実であるよりも空洞部を有するときの方が成形が容易で、同一形状の回転部材を用いるときは、同一形状のものを確実に成形することができる。
【００１４】
請求項３に記載の発明は、少なくとも一つの回転部材が、その表面から空洞部に通じる少なくとも一つの孔が形成されている構成である。布巾を絞るときに、回転部材の結合部分の隙間を伝って、絞った水が回転部材の空洞部に浸入するので、孔から水道水を流し込むことにより空洞部を簡単に洗浄することができる。
【００１５】
請求項４に記載の発明は、回転部材が、円筒形に形成されている構成である。回転部材が円筒形であると布巾を巻き付け易く、誰が握った場合であっても、握った際に違和感を感じさせることがない。
【００１６】
請求項５に記載の発明は、その外径が、回転部材の両端部で最大で、中央部に行くに従って徐々に小さくなる構成である。絞り補助具を用いずに布巾をねじった場合には、ねじっていくに従って布巾の両端が徐々に近寄ってくるために、布巾の絞りが不十分なまま、ねじり角度だけがどんどん大きくなっていくので、一気に絞ることができない。請求項５の発明では、回転部材の両端部で外径が最大であるから、隣り合う回転部材の連結点の外径が大きくなり、その部分が膨らんでいる。したがって、絞っている布巾と、布巾を握っている手が、連結点の膨らみに引っ掛かって布巾の両端が近寄ることを防止することができる。これにより、布巾は長さ方向に引っ張った状態で絞られるから、絞るためのねじり角度がどんどん大きくなることがなく、布巾を一気に絞ることができる。
【００１７】
請求項６に記載の発明は、同じ長さの回転部材が、４以上の偶数個取り付けられている構成である。布巾を絞ると、布巾の両端部の回転角度が最大になり、中心に行くに従って徐々に小さく変化する。回転部材が４以上あると、布巾のねじれ角に対応して、布巾を絞ったときに最も端部側にある２つの回転部材が大きな回転角度で回転し、内側の回転部材はそれよりも小さな回転角度で回転することにより、布巾を効率良く絞ることができる。また、布巾を絞るときは、布巾の中心から一方の側と他方の側とが反対方向に同じ回転角度でねじれるので、回転部材が偶数個あるときは、回転部材もその中央から一方の側と他方の側とが反対方向に同じように回転するので、布巾を無理なく効率的に絞ることができる。
【００１８】
請求項７に記載の発明は、軸部材を有し、回転部材が、前記軸部材の長手方向に並ぶように軸部材に取り付けられ、軸部材の回りで回転可能である。長手方向に並ぶ回転部材が、軸部材によって補強されているので、布巾をきつく絞ったり、厚手のタオルを力一杯絞った場合であっても、回転部材がそれらの結合部分から折れる虞れがない。また、軸部材があるために、使用時に複数の連結された回転部材を回転させたときに、回転の中心軸線が動くことがなく、安定した状態で布巾を絞ることができる。
【図面の簡単な説明】
【００１９】
【図１】図１は、本発明の斜視図である。
【図２】図２は、本発明の正面図である。
【図３】図３は、図２におけるＡ−Ａ断面図である。
【図４】図４は、回転部材を一方の端部側から見た斜視図である。
【図５】図５は、回転部材の正面図である。
【図６】図６は、図５におけるＢ−Ｂ断面図である。
【図７】図７は、絞り補助具の端部付近の拡大断面図である。
【発明を実施するための形態】
【００２０】
図３に示すように、絞り補助具１は、４つの回転部材２１，２２，２３，２４と、軸部材３を有する。また、図４に示すように、回転部材２１は円筒形に形成され、他の回転部材２２−２４も同一の材料で同一の形状に形成され、一方の端部６に環状に延びる連結用の突壁４が形成されている。このように、回転部材２１−２４は同一であるので、回転部材２１以外の回転部材２２−２４の各部の符号については、回転部材２１の符号を用いることとする。
【００２１】
図５に示すように、正面側から見た回転部材２１の表面に、５つの楕円形の孔５，５，５，５，５が形成されている。図示しないが、回転部材２１の背面側から見た場合でも、同様に５つの孔が形成されており、合計１０個の孔が形成されている。図６に示すように、回転部材２１の外径は、回転部材２１の両端部６，７で最大であり、中央部８に行くに従って徐々に小さくなるように形成されている。また、回転部材２１の内周面９の内径は、一方の端部６に形成されている突壁４の内径を除き同一である。突壁４の外径は、回転部材２１の内周面９の内径よりもやや小さい。したがって、突壁４を、他の回転部材２２の他方の端部７側から挿入することにより、２つの回転部材２１，２２は相対的に回転可能に嵌合される。次に、回転部材２１のサイズについて説明すると、回転部材２１の全長は約５５ｍｍであり、最大外径は約２０ｍｍであり、絞り補助具１の全長は約２１５ｍｍであるが、本発明がこれらの数値に限定されないことは勿論である。また、回転部材２１の材料は硬質プラスチックであるが、他の材料、例えばアルミニウムやステンレス等の金属でもよく、竹などでもよい。
【００２２】
図３又は図７に示すように、軸部材３は、中実であって、一方の端部にネジ孔１０が形成されている。軸部材３の本体部１１の外径は、回転部材２１の突壁４の内径よりもやや小さく形成されており、したがって、軸部材３の本体部１１の外周面と、突壁４の内径よりも大きい内径を有する回転部材２１の内周面９との間に、所定の幅の間隔が生じている。したがって、絞り水の一部がこの間隔の中に入る。また、軸部材３の他方の端部に、軸部材３の本体部１１よりも外径の大きな第１の太径部１２が形成され、さらにその外側に、第１の太径部１２よりも外径の大きな第２の太径部１３が形成されている。第１の太径部１２の外径は、回転部材２１の内周面９の内径よりもやや小さく形成され、第２の太径部１３の外径は、回転部材２１の内周面９の内径よりも大きく形成されている。第２の太径部１３は、後述するように、回転部材２１が軸部材３から外れることを防止するためのものである。なお、軸部材３の材料は硬質プラスチックであるが、他の材料、例えばアルミニウムやステンレス等の金属であっても差し支えない。
【００２３】
図３又は図７に示すように、絞り補助具１は、回転部材２１−２４と軸部材３のほかに、蓋部材１４とネジ１５を有している。蓋部材１４は周壁部１６を有し、周壁部１６の内壁の内径は、回転部材２１の突壁４の外径よりもやや大きい。また、蓋部材１４には、ネジ１５を挿通させるためのネジ挿通孔１７が形成されている。
【００２４】
次に、本発明の絞り補助具１の組み立て方法について説明する。まず、軸部材３のネジ孔１０がある一方の端部を、回転部材２１の他方の端部７側から回転部材２に挿し込み、同じようにして順次合計４個の回転部材２１−２４が一列に並ぶように軸部材３に取り付ける。このとき、軸部材３の他方の端部に形成されている第１の太径部１２の外径は、回転部材２１の内周面９の内径よりもやや小さいので、第１の太径部１２は、最初に軸部材２が挿入された回転部材２１の内周面９内に嵌合する。また、第１の太径部１２の外側に形成されている第２の太径部１３の外径は、回転部材２の内周面９の内径よりも大きいので、回転部材２１の他方の端部７側への移動は、第２の太径部１３により規制されるから、回転部材２１が軸部材３から外れることがない。
【００２５】
前述したように、回転部材２１の一方の端部６に形成されている突壁４の外径は、回転部材２１の内周面９の内径よりもやや小さい。この突壁４を、他の回転部材２２の他方の端部７側から挿入することにより、２つの回転部材２１，２２は相対的に回転可能に嵌合される。このように、すべての回転部材２１−２４を軸部材３に取り付けたあとに、図７に示すように絞り補助具１の一方の端部側にある回転部材２４の突壁４と、蓋部材１４の周壁部１６とを嵌合する。次いで、ネジ１５を軸部材３のネジ孔１０に一杯に螺合させて組み立てが完了する。前述したように、軸部材３の本体部１１の外径は、回転部材２１の内周面９の内径に対して所定の長さだけ小さい。したがって、回転部材２１の内周面９と、軸部材３の本体部１１の外周面との間に所定の幅の間隔が存在している。そして、前述したように、軸部材３の本体部１１の外径は、回転部材２１の突壁４の内径よりもやや小さい。したがって、各回転部材２１−２４の内周面９と、軸部材３の本体部１１の外周面との間に存在する間隔の所定の幅は、回転部材２１の突壁４が軸部材３の本体部１１の外周面に当たることによって維持されている。また、絞り補助具１は、このように組み立てられているので、ネジ１５を外すだけで容易に分解することができ、絞り補助具１を分解して洗浄することもができる。
【００２６】
次に、本発明の使用方法について、長さが約８０ｃｍで幅が約３０ｃｍのフェイスタオルサイズの布巾を例に取って説明する。まず、濡れた布巾を四つ折りし、長さが２０ｃｍで幅が３０ｃｍの大きさに畳んで、調理台の上などに載せる。次いで、絞り補助具１の長手方向と、布巾の長さの方向とを一致させて、絞り補助具１を布巾の端部付近の上に載せる。次に、絞り補助具１を転がしながら、布巾を巻き寿司に巻いた海苔のように、絞り補助具１に巻き付けて行く。次いで、布巾を巻き付けた絞り補助具１を手に持ち、巻き付けた布巾の両端付近の部分をそれぞれ左右の手でしっかり握る。次に、両手で布巾を絞るようにねじる。布巾を絞っている左右の手は布巾の両端をそれぞれ反対の方向に回転させるので、布巾のねじれに伴って、布巾の内側にある回転部材２１、２２の２つと回転部材２３，２４の２つとがそれぞれ反対方向に回転して、布巾を絞ることができる。そのとき、回転部材２１と回転部材２４の回転は反対方向であるが回転角度は同じであり、回転部材２２と回転部材２３の回転は反対方向であるが回転角度は同じであり、前者の回転角度よりも小さい。
【００２７】
なお、本発明は前述した構成に基づいて種々の態様をとることが可能である。例えば、回転部材２の表面に多数の突起を形成するなどして滑り止め加工をすることができる。回転部材２に孔５を形成しなくてもよいし、その中央部８と両端部６，７の外径を同一にしてもよい。絞り補助具１に使用する回転部材２の数は４個に限定されるものでなく、布巾を絞ることができればいくつでもよい。好ましくは、４個、６個、８個の偶数個である。回転部材２の形状は、円筒形に限定されるものではなく、例えば六角柱や八角柱などであってもよい。この場合、断面円形の軸部材３が内接する回転部材２の両方の端部６，７の内周面を円形にする必要がある。また、すべての回転部材２を同一の形状とせず、２種類の形状の回転部材を交互に並べてもよい。軸部材３を中実とせず、内部が空洞の円筒形としてもよい。さらには、軸部材３を用いない絞り補助具とすることも可能である。例えば、軸部材３に代えて、伸縮可能でねじれに強い性質を持つシリコーン樹脂などの合成樹脂でロープを形成し、そのロープを回転部材の内部に通し、ロープを引っ張り状態として、ロープの両端を絞り補助具の両端に結合するものであってもよい。あるいは、回転部材２1の端部６に形成されている突壁４の外周に、周方向に延びる突条を形成し、回転部材２２の端部７の内周面９に、周方向に延びる条溝を形成し、突条と条溝を係合させて連結することにより、軸部材３のない絞り補助具とすることも可能である。
【産業上の利用可能性】
【００２８】
独立して回転可能である複数の回転部材に布巾を巻き付けることによって、布巾を手っ取り早く且つしっかりと確実に絞ることができる。
【符号の説明】
【００２９】
１  絞り補助具、    ２１−２４  回転部材、    ３  軸部材、    ４  突壁、    ５  孔、    ６  回転部材の一方の端部、    ７  回転部材の他方の端部、    ８  回転部材の中央部、    ９  内周面、    １０  ネジ孔、    １１  軸部材の本体部、    １２  第１の太径部、    １３  第２の太径部、    １４  蓋部材、    １５  ネジ、    １６  周壁部、    １７  ネジ挿通孔
【図１】
2014159898.tif 000003
【図２】
2014159898.tif 000004
【図３】
2014159898.tif 000005
【図４】
2014159898.tif 000006
【図５】
2014159898.tif 000007
【図６】
2014159898.tif 000008
【図７】
2014159898.tif 000009